【手続補正書】
【提出日】平成20年5月16日(2008.5.16)
【手続補正１】
【補正対象書類名】特許請求の範囲
【補正対象項目名】全文
【補正方法】変更
【補正の内容】
【特許請求の範囲】
【請求項１】
電極によって患者の体に加えられた電気信号により前記患者内に痛覚消失を生み出すための装置であって、前記患者の体に張り付けるための電極と、前記電極に接続可能な信号発生器とを含み、前記信号発生器が、それぞれが正負のパルスを含んだ連続する複数のサイクルを含む２相波形を発生させるように構成されており、平均パルス幅Ｐｗが１０μｓ以下、Ｖｐ２・Ｐｗ・Ｆｐが少なくとも２００、Ｖｐが平均パルス電圧、Ｆｐが１秒あたりの順パルスおよび逆パルスの数である装置。
【請求項２】
平均パルス幅が４μｓ以下、１．５μｓ以下、又は０．７５μｓ以下である、請求項１に記載の装置。
【請求項３】
平均パルス電圧が少なくとも１００Ｖ、又は少なくとも１５０Ｖである、請求項１又は２に記載の装置。
【請求項４】
前記電圧が少なくとも１００Ｖであり、前記パルス幅が６μｓ以下である、請求項１に記載の装置。
【請求項５】
前記電圧が少なくとも２００Ｖであり、前記パルス幅が１．５μｓ以下である、請求項１に記載の装置。
【請求項６】
パルス周波数が少なくとも１０００Ｈｚ、又は少なくとも５ＫＨｚである、請求項１乃至５のいずれか一項に記載の装置。
【請求項７】
Ｖｐ２・Ｐｗ・Ｆｐが少なくとも２５０、又は少なくとも３４０である、請求項１乃至６のいずれか一項に記載の装置。
【請求項８】
前記２相波が連続波である、請求項１乃至７のいずれか一項に記載の装置。
【請求項９】
前記２相波中のそれぞれのパルスが２５０Ｖ／μｓ超、又は５００Ｖ／μｓ超のエッジレートを有する、請求項１乃至８のいずれか一項に記載の装置。
【請求項１０】
前記信号発生器が、前記患者の中を流れる少なくとも３ｍＡの平均モジュラス電流を供給する２相波形を供給するように構成されている、或いは、前記信号発生器が、前記患者の中を流れる少なくとも６ｍＡの平均モジュラス電流を供給する２相波形を供給するように構成されている、請求項１乃至９のいずれか一項に記載の装置。
【請求項１１】
パルス間間隔が１μｓ未満、又は０μｓである、請求項１乃至１０のいずれか一項に記載の装置。
【請求項１２】
電極によって患者の体に加えられた電気信号により前記患者内に痛覚消失を生み出すための装置であって、前記患者の体に張り付けるための電極と、前記電極に接続可能な信号発生器とを含み、前記信号発生器が、それぞれが正負のパルスを含んだ連続する複数のサイクルを含む２相波形を発生させるように構成されており、装置が、前記正パルスと前記負パルスの間の間隔を変化させるための制御要素を含む装置。
【請求項１３】
前記信号発生器が、４μｓ未満の平均パルス幅を有する２相波形を発生させるように構成されている、請求項１２に記載の装置。
【請求項１４】
前記信号発生器が、少なくとも０．５μｓの平均パルス幅を有する２相波形を発生させるように構成されている、請求項１２または１３に記載の装置。
【請求項１５】
前記信号発生器が、少なくとも１００Ｖの電圧を有する２相波形を発生させるように構成されている、請求項１２乃至１４のいずれか一項に記載の装置。
【請求項１６】
前記制御要素が操作者によって操作可能である、請求項１２乃至１５のいずれか一項に記載の装置。
【請求項１７】
前記制御要素がパルス間間隔の自動変動を提供する、請求項１２乃至１５のいずれか一項に記載の装置。
【請求項１８】
前記制御要素が、一連の調節サイクル内でのパルス間間隔の自動変動を提供する、請求項１７に記載の装置。
【請求項１９】
調節率が１２００Ｈｚから０．２５Ｈｚである、請求項１８に記載の装置。
【請求項２０】
電極によって患者の体に加えられた電気信号により前記患者内に痛覚消失を生み出すための装置の動作パラメータを予め設定するための方法において、前記装置が、前記患者の体に張り付けるための電極と、前記電極に接続可能な信号発生器とを含み、前記信号発生器が、それぞれが正負のパルスを有する連続する複数のサイクルを含む２相波形を発生させるように構成されており、前期方法は、
電圧およびパルス幅を選択すること、ならびに
前記電圧およびパルス幅における感覚とパルス間間隔との間の所定の関係を参照して、パルス間間隔を選択すること
を含む方法。
【請求項２１】
電極によって患者の体に加えられた電気信号による痛覚消失の誘導中に処置パラメータを選択する方法において、前記治療が、
前記患者の体に張り付けるための電極と、前記電極に接続可能な信号発生器とを含む装置を用意すること
を含み、
前記信号発生器が、それぞれが順逆のパルスを含んだ連続する複数のサイクルを含む２相波形を発生させるように構成されており、
前記治療がさらに、
前記患者の体表の２か所以上の位置に前記電極を張り付けること、および
前記波形を開始電圧およびパルス幅で供給すること
を含み、
前記処置パラメータを選択する方法は、
前記患者が快適な感覚レベルを経験するまで前記電圧および／またはパルス幅を変化させること、ならびに快適な感覚が感じられる電圧およびパルス幅を選択すること
を含む方法。
【請求項２２】
電極によって患者の体に加えられた電気信号により前記患者内に痛覚消失を生み出すための装置であって、前記患者の体に張り付けるための電極と、前記電極に接続可能な信号発生器とを含み、前記信号発生器が、それぞれが正負のパルスを含んだ連続する複数のサイクルを含む２相波形を発生させるように構成されており、前記信号発生器が、
電源から所望の電圧を生成するための変換器と、
前記変換器と電気的に接続され、前記電極の１つに前記正パルスを供給するように構成された第１のコンデンサと、
前記変換器と電気的に接続され、前記電極の１つに前記負パルスを供給するように構成された第２のコンデンサと
を含み、
前記第１および第２のコンデンサがそれぞれ、対応する経路によって出力に接続されており、前記経路がそれぞれのスイッチを含み、前記信号発生器が、前記正および負パルスを発生させるための前記対応する経路を通した前記第１および第２のコンデンサの交番放電を引き起こすように前記スイッチの動作を制御するように構成されたコントローラを含む
装置。
【請求項２３】
前記コンデンサの静電容量が電圧の低下とともに低下する、請求項２２に記載の装置。
【請求項２４】
前記コンデンサがセラミック型コンデンサである、請求項２２または２３に記載の装置。
【請求項２５】
前記第１および第２のコンデンサが、それぞれのダイオードを介して、前記変換器によって生成された共通の源に接続されており、前記第１および第２のコンデンサに対応した前記経路がそれぞれ、Ｈブリッジの２本のアームによって提供される、請求項２２乃至２４のいずれか一項に記載の装置。
【請求項２６】
前記出力が１Ａ超のピークパルス電流、又は２Ａ超のピークパルス電流を有する、請求項２２乃至２５のいずれか一項に記載の装置。
【請求項２７】
パルスオフ時間中に、前記第１および第２のコンデンサを前記それぞれの出力に接続する前記経路上の前記スイッチがオフにされ、１つまたは複数の追加のスイッチが、前記患者出力を短絡させるように操作されるように、スイッチの動作を制御する制御部を含む、請求項２２乃至２６のいずれか一項に記載の装置。
【請求項２８】
前記信号発生器が２相波形を発生させるように構成されており、前記２相波形のそれぞれのパルスが２５０Ｖ／μｓ超、又は５００Ｖ／μｓ超のエッジレートを有する、請求項２２乃至２７のいずれか一項に記載の装置。
【請求項２９】
パルス幅を所定の期間よりも短く制限する手段をさらに含む、請求項２２乃至２８のいずれか一項に記載の装置。
【請求項３０】
前記正または負パルスの持続時間が長すぎることを検出し、前記持続時間を制限するための手段をさらに含む、請求項２２乃至２９のいずれか一項に記載の装置。
【請求項３１】
パルス「オン」時間が、スイッチドライブロジック内の回路またはレベル変換回路によって制限されるか、或いは、パルス長が、ゲートドライブ上でのエッジトランジションなしではある固定期間よりも長く「オン」状態に留まることができない論理回路と出力トランジスタのうちの一方又は両方によって制限される、請求項２９または３０に記載の装置。
【請求項３２】
治療パルス電荷が、ソフトウェア故障または単一構成要素故障の場合に安全値を超えない、請求項２２乃至３１のいずれか一項に記載の装置。
【請求項３３】
前記安全値が７５μＣである、請求項３２に記載の装置。
【請求項３４】
前記第１および第２のコンデンサの前記電気接続をそれぞれ接地し、それによって前記パルスの供給を停止させるための手段を有する、請求項２２乃至３３のいずれか一項に記載の装置。
【請求項３５】
前記接地手段が、前記コントローラによって制御されたスイッチを含む、請求項３４に記載の装置。
【請求項３６】
自体が生成した信号を監視するための独立した１つまたは複数の手段をさらに含む、請求項２２乃至３５のいずれか一項に記載の装置。
【請求項３７】
前記信号発生器が、請求項１から１８のいずれか一項に記載の２相波形を発生させるように構成されている、請求項２２乃至３６のいずれか一項に記載の装置。